(57)【要約】【課題】  傾斜する桁の上に、各段毎の段部材を固定した階段であって、段部材の剛性を大きくし、たわみを小さくするとともに、施工性を良好とし、高さの調整も容易とする。【解決手段】  段部材２は、断面が箱形の鋼からなる管状部材２１，２２を平行に配列し、これらを固定用の連結部材２３及び中間部の連結部材２４で一体に連結したものとする。段部材を架け渡す桁１の上には支持架台１１を介してボルト１２を立設し、固定用の連結部材をこのボルトに螺号したナット１５によって支持する。２つの管状部材の間には、鋼板材を架け渡し、固定用の連結部材２３とボルト１２との接合部を覆う鋼板材２６は上方へ引き上げて着脱が可能とする。また、管状部材の内側にはＬＥＤ素子を配列した表示装置を配置し、蹴込み面にＬＥＤ素子の点滅による表示を行う。【選択図】    図２
2006214128.tif 000002
【特許請求の範囲】
【請求項１】
傾斜して設けられた複数の平行な桁の上に、各段毎の段部材を架け渡すように固定した階段であって、
前記段部材は、  断面が箱形となった鋼からなる２つの管状部材を、段鼻側と蹴込み側とに平行に配置し、これらを連結部材によって連結したものであり、
前記連結部材が、前記桁の上面から立設されたボルトによって支持され、固定されていることを特徴とする階段。
【請求項２】
２つの前記管状部材は、間隔をあけて連結されており、上面はこれらの間に架け渡された鋼板材によって連続するように接合され、
前記連結部材は管状部材の上面より下方に取り付けられ、この連結部材を支持するボルトとの接合部の上方に架け渡された鋼板材は、上方に引き上げて着脱が可能となっていることを特徴とする請求項１に記載の階段。
【請求項３】
前記段部材の段鼻側の管状部材は、蹴込み部を形成する鉛直面に開口が設けられ、
該管状部材の前記開口と対応する位置に、発光素子を組み合わせた表示装置が装着されていることを特徴とする請求項１に記載の階段。
【発明の詳細な説明】
【技術分野】
【０００１】
本発明は、駅等の公共の通路や建築物内に設けられる階段に係り、特に傾斜して設けられた桁の上面に、１段ごとに独立した段部材を架け渡すように固定した階段に関するものである。
【背景技術】
【０００２】
石質材を表面に貼り付けた階段は、一般に、鉄筋コンクリートの躯体を傾斜させて設けるとともに、この躯体の上面に複数の水平な踏面を所定の高低差を付けて形成し、この上に石材等をモルタルで貼り付けて形成される。
【０００３】
また、特許文献１には、施工の合理化を図るために、踏面板と蹴込板との背面に軽量コンクリートを充填した段部材を形成しておき、これらを設置する現場において、傾斜して支持された躯体又は桁（ささら桁）の上に固定する技術が開示されている。
【０００４】
一方、段部材を軽量化し、現場における取り付けを簡易化するためには、段部材を鋼板に石材等を貼り付けたものとし、これを鋼桁に溶接又はボルト及びナットで取り付ける技術が、提案されている（特許文献１）。
【０００５】
このような鋼板に石材等を貼り付けた段部材を用いる階段では、上記のように施工が簡略化される他に、段部材の取り付け後直ちに荷重が作用しても沈下等の変位が生じない点、段部材の品質が安定している点、補修・改修が容易で、廃材の排出も小さく抑えられる点等のメリットを備えている。
【０００６】
また、特許文献２には、鋼板に石材を貼り付けた階段プレート（段部材）を、高さを調整して取り付ける技術が開示されている。
【特許文献１】実願平２―８１１０６号（実開平４―３９２２８号）のマイクロフィルム
【特許文献２】特開平４−１６６５４８号公報
【発明の開示】
【発明が解決しようとする課題】
【０００７】
上記のように、鋼板に石質の材料を貼り付けた段部材を用いた階段では、軽量化、現場における施工の容易性等に多くの長所を有しているが、次のような解決が望まれる課題が残されている。
【０００８】
段部材を複数の平行な桁に架け渡すように取り付ける階段では、段部材が桁間の荷重を支持することになり、段部材の剛性が小さいとたわみが大きくなる。このとき接着されている石質材は大きな曲げ変形に追従することができず、割れが生じてしまうおそれがある。特に、平行に配置された桁の間隔が大きいと、段部材に生じる曲げモーメントも大きくなって石質材に割れが生じる可能性も大きくなる。
【０００９】
また、段部材は正確に位置を調整して固定する必要がある。特許文献２に記載の階段では段部材（階段プレート）の高さを調整することができるが、段部材を受ける位置が高くなってしまう。つまり、鋼からなる梁材の上に支持台を固定し、その上に段部材を受けるブラケットをボルトによって上下移動が可能に支持するものとなっており、梁材の下面から階段の踏面までの高さが大きくなる。このため、階段の設置位置が制限される場合が生じる。一方、段部材を鋼からなる桁に溶接で取り付ける技術では、桁に対して段部材が直
接に取り付けられるのが一般的であり、段部材を低い位置に固定することができる。しかし、特許文献１の図３に示されるように、桁の上面に段部材の取付片を溶接することになり、段部材の高さの正確な調整が難しくなる。
【００１０】
本発明は、上記のような問題点に鑑みてなされたものであり、その目的は、段部材が大きな剛性を有し、たわみを小さく抑えることができるとともに、施工性が良好で高さの調整も簡単に行うことができる階段を提供することである。
【課題を解決するための手段】
【００１１】
上記問題点を解決するために、請求項１に係る発明は、  傾斜して設けられた複数の平行な桁の上に、各段毎の段部材を架け渡すように固定した階段であって、  前記段部材は、  断面が箱形となった鋼からなる２つの管状部材を、段鼻側と蹴込み側とに平行に配置し、これらを連結部材によって連結したものであり、  前記連結部材が、前記桁の上面から立設されたボルトによって支持され、固定されている階段を提供する。
【００１２】
この階段では、段部材が箱形断面を有する鋼の管状部材で荷重を支持するものとなっており、階段の一段分の高さで大きな曲げ剛性を有するものとすることができる。したがってこれらの段部材を支持する複数の桁部材は間をあけて配置することができ、階段の構築費用を低減することができる。また、階段の有効幅を大きく設定することも可能となる。
さらに、段部材の曲げ剛性が向上することによってたわみ量が減少し、石材又はコンクリート板等を踏み面及び蹴込み面に貼付したときに、剥離したり割れたりすることが減少し耐久性が向上する。
一方、上記段部材は、桁の上に立設されたボルトによって支持されるので、高さの調整が容易となり、施工精度を大幅に向上させることができる。また、ボルトで支持する連結部材は、二つの管状部材の間に設けられているので、段部材が桁の上面より高い位置になるのを抑えることもできる。
【００１３】
請求項２に係る発明は、請求項１に記載の階段において、  ２つの前記管状部材は、間隔をあけて連結されており、上面はこれらの間に架け渡された鋼板材によって連続するように接合され、  前記連結部材は管状部材の上面より下方に取り付けられ、この連結部材を支持するボルトとの接合部の上方に架け渡された鋼板材は、上方に引き上げて着脱が可能となっているものとする。
【００１４】
この階段では、段部材とこの段部材を支持するボルトとの接合部が、上方部に設けられた鋼板材を取り外すことによって、段部材上から操作することができる。したがって、段部材の取り付けは、階段の下方又は上方のいずれからも行うことができるし、中段部分から行うこともできる。また、段部材の全てを取り付けた後、補修や改修のために一部のみを取り外すこともできる。
一方、この階段を仮設用の階段に適用したときには、段部材を転用し、繰り返し用いることも可能となる。
【００１５】
請求項３に係る発明は、請求項１に記載の階段において、  前記段部材の段鼻側の管状部材は、蹴込み部を形成する鉛直面に開口が設けられ、  該管状部材内の前記開口と対応する位置に、発光素子を組み合わせた表示装置が装着されているものとする。
【００１６】
この階段では、段部材上の荷重は鋼からなる管状部材で支持するものとなっているので、管状部材の鉛直面は多少の切り欠き部を設けても十分な剛性を有することができる。また、管内に外部から隔てられ、機械装置等を収容しても保護される空間ができる。したがって、この管内に発光素子を組み合わせた表示装置を内蔵するものとし、その表示面を蹴込み面に向けて配置することにより、蹴込み面に広告やニュース等を表示することができる。蹴込み面は、階段を上る人の注意を喚起し易く、大きな広告効果を有するものとなる。
【発明の効果】
【００１７】
以上説明したように、本発明の階段では、段部材の剛性が向上し経済的に有効幅の大きい階段を構築することができる。また、段部材の取り付け及び取り外しを容易に行うことができ、補修や改修を簡単に行うことが可能となる。また、蹴込み部に発光素子を用いた表示装置を組み込むことができ、大きな広告効果を得ることができる。
【発明を実施するための最良の形態】
【００１８】
以下、本発明の実施の形態を図に基づいて説明する。
図１は、本発明の一実施形態である階段の概略断面図であり、図２は拡大断面図である。また、図３は、図１示す階段の段部材を桁上に取り付けた状態を示す概略斜視図であり、図４は平面図である。
この階段は、斜めに支持された２本の鋼桁１に架け渡すように複数の段部材２を固定して各踏み段を形成したものであり、段部材２は各段毎に独立したもので所定の間隔で配列されている。
【００１９】
上記段部材２は、段鼻側に配置される管状部材２１と、蹴込み側に配置される管状部材２２と、これらを両端部付近で連結し、桁から立設されるボルトに固定される固定用の連結部材２３と、上記固定用の連結部材２３の間で二つの管状部材を強固に連結する中間部の連結部材２４と、複数が設けられたの中間部の連結部材２４間で、二つの管状部材２１，２２間の上面付近を連結するように設けられた鋼板材２５と、固定用の連結部材２３が設けられた位置の上部で二つの管状部材２１，２２間に架け渡すように載置される接合部被覆用の鋼板材２６とで主要部が構成されている。
【００２０】
上記二つの管状部材２１，２２は、いずれも鋼からなり、断面が箱状となっている。これらは断面の肉厚が４．５ｍｍ程度とやや薄くなっているが、断面が箱状の閉じた形状となっているので、曲げ剛性が大きいだけではなく、ねじり剛性も大きくなっており、段部材に大きな荷重が作用しても変形を小さく抑えることができるものとなっている。
また、段鼻側の管状部材２１は蹴込み側の管状部材２２より上下方向の寸法（梁高）が大きくなっており、段鼻付近に生じる大きな荷重に抵抗することができるものである。
【００２１】
固定用の連結部材２３は、鋼の板状の部材からなり、二つの管状部材２１，２２の対向する立面のそれぞれに溶接で接合されている。この固定用の連結部材２３が取り付けられる高さ方向の位置は、管状部材２１，２２の上面より下方であって、蹴込み側の管状部材２２の底面よりやや上方となっている。そして、この固定用の連結部材２３のほぼ中央部には、段部材２を固定するためのボルトを挿通することができる貫通孔が設けられている。
【００２２】
上記中間部の連結部材２４は、蹴込み側の管状部材２２と同じ断面が箱形の鋼部材であり、端面を２つの管状部材２１，２２の対向する立面のそれぞれに突き当て、溶接によって接合されている。
【００２３】
上記鋼板材２５は、連結部材２３，２４によって互いに連結された二つの管状部材２１，２２の間に架け渡され、端縁が二つの管状部材２１、２２のそれぞれの上縁付近に溶接によって接合されている。そして、その上面は二つの管状部材２１，２２の上面とほぼ同じ高さとなるように調整されている。
【００２４】
接合部被覆用の鋼板材２６は、固定用の連結部材２３が設けられている位置の上方で二つの管状部材２１，２２上に載置するように架け渡されるものである。そして、下面には複数の突起２６ａが設けられており、管状部材２１，２２の上面に設けられた凹部又は孔２１ａに嵌め入れられ、鋼板材２６の位置が移動しないように拘束するものとなっている。また、この接合部被覆用の鋼板材２６は、管状部材２１，２２上に載置されており、着脱が可能となっているので盗難等を防止するために鎖３０で管状部材２１，２２又は連結部材２３，２４と連結されている。
【００２５】
上記段部材２の上面には、薄い板状に形成した踏み面用の石材２７が接着剤によって貼付される。これらの石材は、管状部材２１，２２の上面及びこれらの上縁付近に接合された鋼板材２５の上に接着されるもの２７ａと、接合部被覆用の鋼板材２６に接着されるもの２７ｂとでは厚さが異なっており、貼り付けたときに双方の上面がほぼ一致するように調整されている。また、段部材２の蹴込み面にも薄い板状の蹴上石２８が貼り付けられ、踏み面の先端部には段鼻石２９が貼り付けられる。
なお、図３では、踏み面用の石材２７、蹴上石２８、段鼻石２９の記載を省略している。
【００２６】
一方、上記段部材２を支持する桁１は、図５に概略斜視図を示すように、支柱４によって傾斜した状態で支持され、２つが平行に配置されている。そして、上面には複数の段部材２のそれぞれを支持するために、支持架台１１が設けられ、その上にボルト１２が立設されている。また、上記支持架台１１が設けられた位置より桁上面に沿った上方の位置及び下方の位置には、２つの管状部材２１，２２の底面を補助的に支持する補助架台１３，１４が、それぞれの段部材について設けられている。
この補助架台１３，１４は、上面に弾性パッド１６を敷設し、その上に段部材を載置して、固定用の連結部材２３とボルト１２とを接合することができるようになっており、段部材２の接合後も補助的に段部材２を支持して大きな変位が生じるのを抑制する。
【００２７】
上記ボルト１２には、二つのナット１５ａ，１５ｂが螺号され、これらの間に段部材の固定用の連結部材２３を挟み込んで固定するようになっている。そして、ナット１５ａを回転させてその高さを調整することにより、段部材２の高さを容易に調整することができるものである。
【００２８】
このような階段では、２つの桁間に架け渡された管状部材２１，２２が大きな剛性を有し、段部材上に大きな荷重が作用しても変位を小さく抑えることができる。したがって、桁１の間隔を大きくすることができ、幅の広い階段を低価格で構築することが可能となる。
また、段部材２の高さの調整が容易であり、施工の精度も良好なものとなる。
【００２９】
さらに、この階段で用いられる段部材には、発光ダイオード（ＬＥＤ）等の発光素子を用いた表示装置を組み込むことができる。
図６は、表示装置３が組み込まれた段部材２’を示す断面図である。
この段部材２’は、踏み面上の荷重を支持する管状部材２１’の内側に、ＬＥＤを用いた表示装置３を組み込んだものであり、多数のＬＥＤ素子３１ａが配列された表示パネル３１と、ＬＥＤ素子の点滅を制御する制御部３２とを備えている。そして、管状部材２１’の段鼻側の立面つまり蹴込み面に相当する部分に開口が設けられており、上記表示パネル３１の表示面が開口から外側に向けて取り付けられている。管状部材２１’の外側には、蹴上石に代えて透明は強化ガラス３３が貼り付けられ、表示パネル３１を保護するものとなっている。
【００３０】
上記のような表示装置３は、図７に示すように、階段の蹴込み面においてＬＥＤ素子が点滅し、文字又は簡単な図形等を表示することが可能であり、広告の表示やニュースの表示を行うことができる。階段の蹴込み面は階段を上る人の目に付きやすく、さらに発光することによって注意を喚起する。したがって、大きな広告効果を得ることができる。
【図面の簡単な説明】
【００３１】
【図１】本発明の一実施形態である階段の概略断面図である。
【図２】図１に示す階段の拡大断面図である。
【図３】図１示す階段の段部材を桁上に取り付けた状態を示す概略斜視図である。
【図４】図１に示す階段の概略平面図である。
【図５】図１に示す階段の段部材が取り付けられる前の桁の構成を示す概略斜視図である。
【図６】図１に示す階段で用いることができる段部材であって、発光素子を用いた表示装置が組み込まれたものの概略断面図である。
【図７】図６に示す段部材を用いた階段の正面図である。
【符号の説明】
【００３２】
１：桁、    ２：段部材、    ３：表示装置、    ４：支柱、
１１：支持架台、    １２：ボルト、    １３，１４：補助架台、    １５：ナット、    １６：弾性パッド、
２１：段鼻側の管状部材、    ２２：蹴込み側の管状部材、    ２３：固定用の連結部材、    ２４：中間部の連結部材、    ２５：鋼板材、    ２６：接合部被覆用の鋼板材、    ２６ａ：突起、    ２７：踏み面用の石材、    ２８：蹴上石、    ２９：段鼻石、    ３０：鎖、    ３１：表示パネル、    ３１ａ：ＬＥＤ素子、    ３２：制御装置、    ３３：強化ガラス
【図１】
2006214128.tif 000003
【図２】
2006214128.tif 000004
【図３】
2006214128.tif 000005
【図４】
2006214128.tif 000006
【図５】
2006214128.tif 000007
【図６】
2006214128.tif 000008
【図７】
2006214128.tif 000009